(57)【要約】【課題】内容物が微細な粉末であっても周囲に飛散するおそれ少なく、容易、確実に詰め替えるが可能で、香りや風味が損なわれるおそれ少なく、本来の品質を上手く保った詰め替えができ、また保管、運搬スペースが少なく、保管・輸送に有利な容器を提供する。【解決手段】高いガスバリア性とシール性を備えたパウチ２、蓋材４とパーツ３、オーバーキャップ５を備え、ホッパ３はパウチ２の開口部２Ａに向かってテーパーのある漏斗３Ｂが備わり、中心から放射状に、かつ、周方向に所定間隔をおいて強度弱点部１４を備えた前記蓋材４が前記リング３Ａの上端に貼着されてパウチ２の開口が密封され、前記パウチ２を逆さにし、蓋材４を詰め替え先の容器１５の口部１５Ａに押圧して前記強度弱点部１４に沿って押し破り、インスタントコーヒーＰを漏斗３Ｂで中央に集めながらこの詰め替え先の容器１５の口部１５Ａから直接に注ぎこめるようにした。【選択図】      図１
2010018326.tif 000002
【特許請求の範囲】
【請求項１】
高いガスバリア性とシール性を備えた容器本体、パーツ、シール状の蓋材、更にはオーバーキャップからなるバリア性を備えた詰め替え用容器であって、パーツは容器本体の開口部とほぼ同径の筒状のリングを備えると共に、開口部に向かってテーパのある漏斗が備わり、更に前記リング又は容器本体の開口部の上端にバリア性を備えたシート状の蓋材が貼着されて容器本体の開口が密封されると共に、この蓋材にはその中心から放射状に、かつ、周方向に所定間隔をおいて強度弱点部が備わってなり、前記容器本体を逆さにし、蓋材を詰め替え先の容器の口部に押圧して前記強度弱点部に沿って押し破り、内容物を漏斗で中央に集めながらこの詰め替え先の容器の口部から直接に注ぎこめるようにしたことを特徴とするバリア性を備えた詰め替え用容器。
【請求項２】
容器本体は、紙、アルミニウム、プラスチックフィルムのいずれかを使用した単体若しくは積層体からなるパウチである請求項１記載のバリア性を備えた詰め替え用容器。
【請求項３】
容器本体は、板紙を主体としたバリア性を持った角筒状紙容器である請求項１記載のバリア性を備えた詰め替え用容器。
【発明の詳細な説明】
【技術分野】
【０００１】
本発明は、紙、アルミニウム、プラスチックフィルムのいずれかを使用した単体若しくは積層体からなり、高いガスバリア性（酸素、水蒸気、内容物由来揮発成分）を求められると共に、詰め替え先の容器に内容物、主として粉体や粒体などを移し替えることに使用する包装材、所謂詰め替え用パウチや折り畳みスリーブから形成されるタイプの容器に関する。
【背景技術】
【０００２】
この種の詰め替え用パウチは多数の提案がなされていたり、市販されていたりする。
一般的には、パウチの一角などを切断して開口部を設け、この開口部を上下逆さにして詰め替え先の容器の口部に乗せ、その後にこの開口部を介してパウチから内容物をこの詰め替え先の容器に移し替えている。
【０００３】
また、紙を主体とする容器に関しても、開口部に密封シールを貼り、オーバーキャップで保護した紙カップや紙管など、更には切り妻屋根状の頂部に設けた注出口を開いたり頂部そのものを開封したりするゲーベルトップ型の紙容器が存在している。
【０００４】
尚、本発明に言うパウチは、平パウチ、スタンディングパウチ、ピロー、ガゼットなどの包装用袋を意味し、要するところフィルムや紙を主体として得られた包装袋の一端に開口部が備わった類の包装用袋の全般を包含するものである。また、紙を主体とする容器は、例えばＥＰパックなどのサイドシールしたスリーブの成形タイプ容器である。本発明では以下これらを総称して積み替え用容器という。
【特許文献１】特公昭６３−２４４６４号公報
【特許文献２】特開平０８−５８７６４号公報
【特許文献３】特開２００２―２６４９１８号公報
【特許文献４】特開２００４−０９０９７２号公報
【特許文献５】特開平０６−２９３３５５号公報
【特許文献６】特開２００２―２５５１５２号公報
【特許文献７】実開平０７−０２２１９３号公報
【発明の開示】
【発明が解決しようとする課題】
【０００５】
しかしながら、従来のこの種の詰め替え用容器はヘッドスペースが無い場合が多く、シールを剥離する際や蓋を取り除く際、また、詰め替え作業中に内容物がこぼれるなど、詰め替え難い製品が多い。また、内容物が微細な粉末で、詰め替え作業中に内容物が飛び散る可能性がある商品には適用し難い。更には詰め替えする際に、外気に触れて変性するような内容物や外気に揮発成分が蒸散して品質が低下してしまうような内容物には適用し難い問題がある。
【０００６】
そこで本発明者らは、従来製品のこのような問題点に鑑み、種々検討した。その結果、従来の製品は、詰め替えに先立ってこの詰め替え容器を開封して開口部を設け、その後に詰め替え先の容器へ詰め替えを行なわねばならない構造的な問題点があることが分かった。また、殊にパウチの場合は倒れ易く、詰め替え作業に難儀する。
【０００７】
この新知見を基に更に鋭意検討、試験を重ね、得られた結果から、詰め替え容器から詰め替え先容器に内容物を詰め替える直前までは開口部が閉止されて内部の密封性を完全に保つことができ、しかも保管、運搬スペースが少なく、保管・輸送に有利になる製品を試作した。その結果、ほぼ満足の行く製品を得ることができたので、ここに提案する。
【０００８】
従って、本発明の目的は、内容物が微細な粉末であっても周囲に飛散するおそれ少なく、容易、かつ、確実に詰め替えることが可能であると共に、香りや風味が損なわれるおそれも少なく、本来の品質を上手く保ったままでの詰め替えが可能なバリア性を備えた詰め替え用容器を提供することにある。
【課題を解決するための手段】
【０００９】
以上の技術的な課題を解決するために、本発明の請求項１記載のバリア性を備えた詰め替え用容器は、高いガスバリア性とシール性を備えた容器本体、パーツ、シール状の蓋材、更にはオーバーキャップからなるバリア性を備えた詰め替え用容器であって、パーツは容器本体の開口部とほぼ同径の筒状のリングを備えると共に、開口部に向かってテーパのある漏斗が備わり、更に前記リング又は容器本体の開口部の上端にバリア性を備えたシート状の蓋材が貼着されて容器本体の開口が密封されると共に、この蓋材にはその中心から放射状に、かつ、周方向に所定間隔をおいて強度弱点部が備わってなり、前記容器本体を逆さにし、蓋材を詰め替え先の容器の口部に押圧して前記強度弱点部に沿って押し破り、内容物を漏斗で中央に集めながらこの詰め替え先の容器の口部から直接に注ぎこめるようにしたことを特徴とする。
【００１０】
本発明の高いガスバリア性を備えた容器本体は、紙、アルミニウム、プラスチックフィルムのいずれかを主体とした単体若しくは積層体から構成される。したがって、中間層に金属箔層や金属蒸着層、更には金属酸化物蒸着層などを備えるのが望ましい。また、最内層に合成樹脂層が積層された複合材料を含み、パウチや紙パック、紙管、更には折り畳みスリーブ状の紙容器として形成されている。この容器本体の胴部の上端はは外方へ張り出したフランジ又は外方へ環状に巻き込んだ環状巻込み部（カール部）が形成されるものも含む。更にはリングの上端に外方へ張り出すフランジを備えたパーツも包含する。そして、この容器本体の上端に被せられるオーバーキャップは、輸送中の振動などの外力により、蓋材が開封してしまわないように保護し、例えばポリプロピレン樹脂素材で成形されたものである。また、この容器本体ま上端内周面に、例えばポリエチレン樹脂素材で成形されたパーツのリングが内嵌合されて装着される。装着の手法としては、リング外周面を容器本体の上端内周面に熱融着や接着などの手段によって固着したり、フランジを備えた場合には、容器本体の上端縁にこのフランジを載せ付け、熱融着や接着などの手段によって固着したりする。そして、容器本体ま開口部を密封するための、金属箔層や金属蒸着層、更には金属酸化物蒸着層などを備えた合成樹脂層が積層された複合材料からなるバリア性を備えたシール状の蓋材が、容器本体ま前記開口部の上端面に熱融着や接着などの手段によって貼着されて、容器本体の開口部を密封するものである。容器本体の前記開口部の上端面とは、所謂胴部の上端面の他にも、前記カール部、更にはリングのフランジを包含する。この蓋材の裏面にはその中心から放射状に、前記バリア性を備えた素材層の手前までミシン目やカット線などからなる強度弱点部が、周方向に所定間隔わおいて設けられている。使用に当っては、前記容器本体を逆さにし、蓋材を例えばガラス瓶などの詰め替え先の容器の口部に押圧して前記強度弱点部に沿って押し破り、内容物を漏斗で中央に集めながらこの詰め替え先の容器の口部から直接に注ぎ込めるようにした。
【００１１】
このように構成されたバリア性を備えた詰め替え用容器では、オーバーキャップを取り外し、次いで図５並びに図６に示すように、容器本体を逆さにし、パーツの漏斗を詰め替え先の容器の一例であるジャーの口部に内嵌合出来る位置に宛がう。容器本体内のインスタントコーヒー等の内容物はホッパの漏斗内にも流下してきているが、蓋材によって保持されている。次いで、図７並びに図８に示すように、容器本体に、その漏斗をジャーの口部へ向かって押し込むように押圧力を負荷する。この押圧力は、ジャーの口部、一般的には本体から円筒状に立ち上がる筒状部分が蓋材を押し破るための力として働く。すなわち、このジャーの口部が蓋材を押し上げて、これをパーツのリングと漏斗との間の断面三角形状の空間内に押し込む力として機能する。この押圧力が負荷された蓋材は、この蓋材に放射状に予め設けられた強度弱点部である、例えばミシン目やカット線に沿って複数の分割片に破断分割される。同時にこま漏斗はジャーの口部内に入り込む。その結果、前記パーツの漏斗の開口が開放され、容器本体内のインスタントコーヒー等の内容物が、パーツの漏斗によって、センターへと案内されつつ、一挙にジャー内へ案内流下される。
【００１２】
このように本発明のバリア性を備えた詰め替え用容器では、この詰め替え容器から詰め替え先の容器へ内容物を移し替えるににあたって、蓋材（密封シール）を開封した後、詰め替え容器を傾けたり、逆さにしたりして詰め替え作業を行う従来商品と違って、上記のように、オーバーキャップを外した後に、詰め替え容器を上下逆さまにして詰め替え先の容器の口部の上に載置する。その後、詰め替え容器を下方へ押し下げて蓋材を詰め替え先の容器の口部に押し付け、その押圧力によって蓋材をその強度弱点部に沿って破断し、開封する。
【発明の効果】
【００１３】
したがって、この発明は以下の効果を奏する。
本発明のバリア性を備えた詰め替え用容器は、従来のスタンディングパウチ等と全く違って、容器本体を詰め換え先の容器の口部に押し付けて押圧することによって蓋材を押し破るようにしてあるので、簡単に容器本体と詰め替え先の容器とを直に連通でき、しかも、開封後、容器が倒れることに意を払う必要のある従来商品と違って、詰め替え容器が倒れることを心配する必要もなく、詰め替え作業を大変簡単に操作で、容易、かつ、確実に行うことができる。併せて、内容物が外気に必要以上に触れたり、揮発成分が蒸散してしまうおそれを可及的に少なくでき、香りや風味が損なわれるおそれを少なくできる。
【００１４】
しかも、対象とする容器はパウチであったり、角筒状紙容器であったりするので、従来の紙パックや紙管と違って、折り畳んだスリーブの状態で保管や運搬が可能であるから、保管、運搬スペースが少なく、保管・輸送に有利な容器として提供できる。
【発明を実施するための最良の形態】
【００１５】
以下、本発明のバリア性を備えた詰め替え用容器を、インスタントコーヒーの詰め替え用パウチ１に適用した場合の実施の形態について、図面にしたがって詳細に説明する。
【００１６】
先ず、詰め替え用パウチ１は、図１、２に示すように、容器本体であるパウチ２、パーツ３、バリア性を有するシート状の蓋材４、オーバーキュップ５からなる。
【００１７】
パウチ２は、三方シール形態で、底シール部６、サイドシール部７，８、開口部９を有している。なお、本発明では、パウチは上記の形態に限定されず、底シール部６が自立性を有する形態、更にはピロー、ガゼットなどの包装用袋にも適用できることは言うまでもない。
【００１８】
パウチ２の基材はその外側から順に、透明蒸着ポリエチレンテレフタレート、二軸延伸フィルム（ＯＮｙ）、ポリエチレンが積層されて、高いガスバリア性（酸素、水蒸気、内容物由来揮発成分）を備えた複合材が採用される。積層手段は公知の各種技術が採用される。例えば、ラミネートや塗着などの一般的な手法である。基材としては、表裏共に逐次二軸延伸フィルム（ＯＮｙ：１２μｍ）の表側にアルミナ蒸着フィルム（ＧＬ−ＡＥ：１２μｍ）をコーティングしたものを用い、更に最内層にポリエチレンのシーラント層３が積層されている。以上のような基材を二枚重合し、図１に示すように、底辺、左右両辺を夫々シールして上方開放のパウチ２が作製されている。
【００１９】
このパウチ２の開口部９内には、図２に示すように、円筒形のパーツ３が嵌め込まれている。このパーツ３は、厚みを不０．８ｍｍに設定されたポリエチレン（ＰＥ）、ポリプロピレンなど適宜の樹脂素材で形成されている。このパーツ３は、図１にも示すように、周囲に、上端に外向きフランジを備えないリングとしての立ち上がり壁３Ａ（以下単にリングという）を備える。このリング３Ａが、その上端をパウチの開口部９の上端と同じ高さ位置にして、この開口部９内に嵌め込まれている。また、このリング３Ａの下端縁から一体に、上方かつ中央に向かって順次傾斜した壁からなる漏斗３Ｂが備わっている。そして、この漏斗３Ｂのテーパー角は、少なくとも２０°、更に好ましくは４０〜４５°に設定される。
【００２０】
パーツ３はその漏斗３Ｂの上端が前記リング３Ａ並びにパウチ２の開口部９の上端とほぼ同じ高さ位置、即ちほぼ同一平面上に配置されるように、しっかりと位置合わせして、この開口部９に嵌め込まれて、この開口部９の内周面に適宜接合される。接合の手段は熱融着や、高周波溶着、接着剤使用など、適宜最も好ましい手段が採用される。
【００２１】
前記パーツ３の上端はバリア性を有する前記蓋材４でシールされている。
このバリア性を有する蓋材４は、図３に示すように、最内層１０はポリエチレンのシーラント層、このシーラント層１０の外側にポリエチレンテレフタレート層１１、その外側に接着剤層１２を介して金属箔層１３が貼着された高いガスバリア性を備えた複合シートが採用される。更に、前記最内層のシーラント層１０から上方の前記接着剤層１２に至り、図４に示すように、この蓋材４の中心から放射状に複数本の強度弱点部１４が設けられている。この強度弱点部１４を設けることで、前記シーラント層１０を含み金属箔層１３も容易に破れて、開封し易くなるように構成してある。
【００２２】
また、蓋材４の全体形状は、図１、２に示すように、前記パウチ２の開口部９とほぼ同径、具体的には約８０ｍｍφの円形を呈し、疎の周縁部４Ａがパーツ３の立ち上がり壁３Ａの上端に適宜に貼着される。一般的には熱融着手段が採用される。但し、この場合、前記漏斗３Ｂの上端縁、つまり開口３Ｂ１の上縁に対して、単に接触するのみとしてある。この漏斗３Ｂの開口部３Ｂ１の開放を迅速で、且つ、容易にするためである。
【００２３】
更に、前記強度弱点部１４は、ミシン目又はカット線（図例ではミシン目）で形成され、前記最内層のシーラント層１０から接着剤層１２達するようにして設けられている。この強度弱点部１４であるミシン目又はカット線によって前記最内層のシーラント層１０を含み金属箔層１３も容易に破れて、開封し易くなる。ミシン目又はカット線は、図１、４に示すように、中央で互いに交差する３本の直線状で、ミシン目の長さは９ｍｍ、つなぎは１ｍｍに設定されている。尚、３本という本数は、本発明の所期の目的を達成するための最低限の本数である。また、蓋材４の大きさにもよるが、望ましい上限は５本である。５本以上であると逆にこの蓋材４の強度を弱めるおそれが生じ、好ましくない。理想的には３〜４本である。
【００２４】
オーバーキャップ５は、厚みを０．８ｍｍ程度に設定された高密度ポリエチレン（ＨＤＰＥ）、ポリプロピレンなどの適宜の樹脂が採用され、前記パウチ２の開口部９に外嵌合し、前記蓋材４を保護し、併せて内部を衛生的に保つように働く。
【００２５】
前記パウチ２ま内部に粉状のインスタントコーヒーＰを収容する作業は、一般に、漏斗３Ｂの嵌合３Ｂ１を介して行われる。
【００２６】
次に、このように構成されたパウチ２の使用の仕方について説明する。
先ず、オーバーキャップ５を取り外し、次いで図５並びに図６に示すように、パウチ２を逆さにし、パーツ３の漏斗３Ｂを詰め替え先の容器の一例であるジャー１５の円筒状の口部１５Ａに内嵌合出来る位置に宛がう。パウチ２内のインスタントコーヒーＰはパーツ３から漏斗３Ｂ内にも流下してきているが、蓋材４によって保持されている。次いで、画７並びに図８に示すように、パウチ２に、その漏斗３Ｂをジャー１５の口部１５Ａに向かって押し込むように押圧力を負荷する。この押圧力は、ジャー１５の口部１５Ａ、一般的には本体から円筒状に立ち上がる筒状部分が蓋材４を押し破るための力点として働く。すなわち、このジャー１５の口部１５Ａが蓋材４を押し上げて、これをパーツ３のリング３Ａと漏斗３Ｂとの間の断面三角形状の空間Ｓ内に押し込む力として機能する。この押圧力が負荷された蓋材４は、強度弱点部１４であるミシン目が放射状に設けられているために、たちまちの内に極めて容易にこのミシン目に沿って複数の分割片に破断分割される。同時にこの漏斗３Ｂはジャー１５の口部１５Ａ内に入り込む。その結果、前記パーツ３の漏斗３Ｂの開口３Ｂ１が開放され、パウチ２内のインスタントコーヒーＰが、パーツ３の漏斗３Ｂによって、センターへと案内されつつ、一挙にジャー１５内へ案内流下される。ジャー１５へ補充を終えたこの詰め替え用容器１は廃棄される。
【００２７】
したがって、リング３Ａは蓋材４が開封されるまでは、この蓋材４によって完全に密閉され、大気と接触することがないので、このパウチ２内の気密を高度に保つ。また、ジャー１５の口部１５Ａに内嵌合された漏斗３ＢはインスタントコーヒーＰをジャー１５の外部へ零れ落とすことも無く、また、外気に必要以上触れさせるおそれもなく、したがって香りや風味が損なわれるおそれも可及的に少なくすることができる。
【００２８】
出来上がった蓋材４の性能試験を行った結果、中央部分が上手く押し破られた。因みに押し破り強度は１００Ｎ以下であった。また、高温保存時にも蓋材４がリング３Ａの上端やパウチ２の開口部９から剥離する例は見られなかった。更に蓋材４全体のバリア性はアルミ蓋材と遜色なく好ましい結果を得た。ホットメルト蓋材と比較して周期の発生はまったくなかった。
【００２９】
次に好適な今一つの実施の形態について以下詳述する。
この例は、図９に示すように、バリア性を備えた詰め替え用容器１を、容器本体２として、パウチに代えて、折り畳みスリーブから形成されるタイプの角型の容器、つまり角筒状紙容器２０に適用したものである。
【００３０】
したがって、他の構成要素である前記パーツ、バリア性を有するシート状の蓋材、オーバーキャップは、この適用される容器の形状に合わせて平面視で夫々が角型に形成されている点のみが異なり、素材や製法に関しては、前記実施の形態と同様である。よって、それらの詳細な説明は省略し、前記実施の形態と異なる構成についてのみ付加的に説明する。
【００３１】
そこで、この折り畳みスリーブから形成されるタイプの角型の容器２０は、例えば図１１（Ａ）に示すように、四枚の側面板２１、２２、２３、２４とこの側面板の一枚と連設されると共に、隣接する側面板に接続される接着片２５を有する四角筒状の胴部２６と、この胴部２６の一方の頂部２７が開放され、他方の開口部は折り畳まれて底部２８に形成された紙容器である。
【００３２】
この角型の容器２０を形成する素材としては、図１０に示すように、その外側から順に、低密度ポリエチレン層（ＬＥＤＰ）２０１、紙層２０２、エチレンメタクリル酸共重合樹脂（ＥＭＡＡ）２０３、アルミニウム層（ＡＬ）２０４、ポリエチレンテレフタレート層（ＰＥＴ）２０５、更に低密度ポリエチレン層（ＬＤＰＥ）２０６が積層されて、高いガスバリア性（酸素、水蒸気、内容物由来揮発成分）を備えた複合材が採用される。
【００３３】
このような容器２０は、図１０に示すように、先ず基材である巻き取り紙２０２に印刷することにより必要な印刷層２０７を設ける。次いで、この巻き取り紙２０２の両面に熱可塑性樹脂層２０１、２０３を形成する。積層方法は、例えば、溶融したポリエチレンなどの熱可塑性樹脂を押出機でフイルム状に押し出し、フイルムが溶融状態にあるうちに巻き取り紙を圧着してラミネートする溶融推し出しラミネート法が採用される。内面側と外面側に別々に熱可塑性樹脂を形成しても良く、共押出機を用いて内面側と外面側とに同時に熱可塑性樹脂を形成しても良い。
【００３４】
最後に熱可塑性樹脂を形成させた巻き取り紙２０２を所望の寸法に裁断して積層シートとする。
【００３５】
シート断ちされた積層シートは必要箇所に罫線を入れると共に、一枚ずつブランクシート２９に打ち抜かれる。次に、図１１（Ｂ）に示すように、打ち抜かれたブランクシート２９の接着片２５の外側面とこの接着片２５が熱融着される側面板２１の内側面とを、例えば、ホットエアーで加熱すると共に、ブランクシート２９を折り曲げスリーブ状に折り畳む。
【００３６】
ブランクシート２９を折り曲げスリーブ状に折り畳んだ状態で保管、更には運搬が可能であるから、従来の紙コップや紙管と違って、保管、輸送スペースが嵩低くなり、この点で大変有利である。
【００３７】
次いで、出来上がったスリーブ３０を専用の充填機にセットすることにより、図１１（Ｃ）に示すように、スリーブ３０の下端を折り曲げ貼着して底を形成し、更に、図１１（Ｄ）に示すように、上方の開口部３１にこの開口部３１と同じ形状に予め成形されたパーツ３２を内嵌合させて、容器に最内層に対して熱融着、高周波溶着、接着剤使用など、適宜最も好ましい手段で貼着固定される。
【００３８】
内容物を充填後、図９に示すように、パーツ３２の上に四角形に切り抜かれた蓋材３３が前記開口部３１の上端縁に、熱融着、高周波溶着、接着剤使用など、適宜最も好ましい手段で貼着固定される。そして、最後にオーバーキャップ３４を被せることによって、本発明のバリア性を備えた詰め替え容器を完成する。
【００３９】
尚、底の成型とパーツ３２の取り付けの順序はどちらが先であっても良い。更に、インスタントコーヒーシーＰの充填は、パーツ３２側からでも良いし、底からでも良い。底から充填する場合は、容器を逆さにした状態で充填後、底を形成する。また、角型のパーツ３２を採用したが、円形や他の形状のものにも適用できる。この場合、スリーブは押し広げられて歪むことによりこのパーツ３２を挿入できるものであれば良い。更に、スリーブ成型後に、紙カップのように上端縁をトップカールすることも可能である。この場合、パーツ３２に蓋材４を貼り付けるためのフランジは不要である。
【００４０】
以上のように構成されたこの別の実施形態に係るバリア性を備えた詰め替え容器の使用の仕方は前記第１の実施形態に詳述した通りであるので、ここでは省略する。
【００４１】
また、以上の説明では、内容物としてインスタンの粉コーヒーを対象としているが、その他にも食品、非食品の他の分流体に適用できる。例えば、水溶性のミルク（粉ミルク）、ココア、茶、またはこれらの組み合わせの粉など。更には乾燥マッシュポテトや他の乾燥食品、ソースまたはグレービー粉、スープ粉などの他に複写機のトナーなどである。
【００４２】
また、ジャー１５に替わるものとして、コーヒー作成装置のコーヒー粉タンク、更には複写機のトナーの補充容器などにも適用できる。
【実施例１】
【００４３】
基材として、厚さ１２μｍの透明蒸着ポリエチレンを使用し、中間層として１５μｍの二軸延伸フィルム（ＯＮｙ）を使用し、シーラント層として厚さ５０μｍのポリエチレンフィルムを使用した。また、各層間の接着剤として、レトルト用ポリウレタン系接着剤を使用して、ドライラミネート機で、透明蒸着ポリエチレン／接着剤／二軸延伸フィルム／接着剤／ポリエチレンフィルム構成の積層材料を作成し、その積層材料を用いて、有効内径２４５ｍｍ×２８０の三方シール形態のパウチ２を得た。尚、シール幅は８ｍｍである。次に、高密度ポリエチレン（三井化学  ２１００Ｋ）を用いて射出成形により、漏斗外径が７７．６ｍｍ、漏斗の開口径が３４ｍｍで、上端に張り出し幅２ｍｍの、蓋材をヒートシールするフランジを備えたリングを有するパーツを作製した。漏斗並びにリングは共にほぼ０．８ｍｍ厚となるよう成形した。更に、〔上側〕金属箔層１０であるアルミニウム箔層（９μｍ）／接着剤層／ポリエチレンテレフタレート層（１２μｍ）／シーラント層であるポリエチレン層（６０μｍ）〔下側〕構成の積層材料を作製し、この積層材料を用いて蓋材を作製した。また、この蓋材には、中心から放射状で、かつ、周方向に所定間隔をあけて６本の直線ミシン目を最上層のアルミニウム箔層の下まで入れた。ミシン目の長さは９ｍｍ、ミシン目のつなぎの長さは１ｍｍとした。更に、オーバーキャップはポリプロピレンを用いて、天板部分、垂下壁部分共に０．８ｍｍの肉厚にして、前記パーツと同様の製法で得た。
【実施例２】
【００４４】
まず、ラミネート加工法によって、スリーブ組み立て方式の容器本体用として、〔容器外側〕低密度ポリエチレン層（２０μｍ）／紙層（坪量４００ｇ／ｍ2 ）／接着剤層／エチレンメタクリル酸共重樹脂（２５μｍ）／接着剤層／アルミニウム箔層（７．０μｍ）／ポリエチレンテレフタレート層（１２μｍ）／接着剤層／低密度ポリエチレン層（６０μｍ）〔容器内側〕構成の巻き取り紙を作製した。また、パーツ３２、蓋材３３、更にオーバーキャップ３４は実施例１と同様の手法で四角形状にして作製した。
【００４５】
先ず、得られた基材には両面に熱可塑性樹脂層を形成するに先立って予め印刷を施す。次いで、この巻き取り紙を所望の寸法に裁断して積層シートとする。更に、シート断ちされた積層シートの必要箇所に罫線を入れると共に、一枚ずつブランクシート２９に打ち抜く。打ち抜かれたブランクシート２９の接着片２５の外側面とこの接着片２５が熱融着される側面板２１の内側面とをホットエアーシール法によって側面板２１の内側面に貼り付ける。その後、ブランクシート２９を折り曲げスリーブ状に折り畳む。次いで、出来上がったスリーブ３０を専用の充填機にセットすることにより、スリーブ３０の下端を折り曲げ、ホットエアーシール法によって貼着して底部２８を成形し、更に上方の開口部３１に、この開口部３１と同じ形状に予め成形されたパーツ３２を内嵌合させて、容器２０の最内層に対して超音波シール法により貼着固定した。インスタントコーヒーＰを充填後、パーツ３２の上に四角形に切り抜かれた蓋材３３を前記リング３２Ａのフランジ３２Ｃ上に、熱融着で貼着固定した。そして、最後にオーバーキャップ３４を被せることによって、本発明のバリア性を備えた詰め替え容器を得た。
【００４６】
本発明の以上の実施例１、２によって得られたバリア性を備えた詰め替え容器は従来のパウチ或いは紙容器、更には紙管に比べて、内容物が微細な粉末であっても周囲に飛散するおそれ少なく、容易かつ確実に詰め替えることが可能である共に、香りや風味が損なわれるおそれも少なく、本来の品質を上手く保つことが分かった。併せて、保管、運搬スペースが少なく、保管・輸送に有利な容器として提供できることも分かった。
【図面の簡単な説明】
【００４７】
【図１】本発明のバリア性を備えた詰め替え容器の一実施形態を示した一部省略全体分解斜視図である。
【図２】図１の容器が閉まっているときのこの容器の断面図である。
【図３】図４中Ａ−Ａ線に沿った蓋材の断面図である。
【図４】図１の蓋材の底面図である。
【図５】図１に示される容器の作用の説明図で、ジャーへ内容物を補充する前の蓋材と容器とジャーの関係を示す斜視図である。
【図６】図５に示される作用の説明図で、要部の断面図である。
【図７】図１に示される容器の作用の説明図で、ジャーへ内容物を補充する途中の蓋材と容器とジャーの関係を示す斜視図である。
【図８】図７に示される作用の説明図で、要部の断面図である。
【図９】本発明のバリア性を備えた詰め替え容器の一実施形態を示した全体斜視図である。
【図１０】図９に示す容器の層構造を示す要部の断面図である。
【図１１】（Ａ）〜（Ｄ）は図９に示した他の実施形態の容器の製造過程を示す説明図である。
【符号の説明】
【００４８】
１…詰め替え用容器
２…容器本体
３…パーツ
３Ａ…リング
３Ｂ…漏斗
３Ｂ１…口部
４…蓋材
５…オーバーキャップ
６…底シール部
７、８…サイドシール部
９…開口部
１４…ミシン目
１５…ジャー
２０…容器
２６…胴部
２７…頂部
２８…底部
２９…ブランクシート
３０…スリーブ
３２…パーツ
３３…蓋材
【図１】
2010018326.tif 000003
【図２】
2010018326.tif 000004
【図３】
2010018326.tif 000005
【図４】
2010018326.tif 000006
【図５】
2010018326.tif 000007
【図６】
2010018326.tif 000008
【図７】
2010018326.tif 000009
【図８】
2010018326.tif 000010
【図９】
2010018326.tif 000011
【図１０】
2010018326.tif 000012
【図１１】
2010018326.tif 000013